(57)【特許請求の範囲】
【請求項１】
靴底本体を備えており、この靴底本体の底面にゴム又は合成樹脂からなる突起が多数形成されたゴルフ靴であって、
この突起として、両側防滑突起が主として形成されており、
この両側防滑突起が、接地面である底面と複数の側壁とのみからその表面が形成されたものであり、
これら側壁が、爪先方向に凸である線に沿って形成された爪先側防滑壁と、踵方向に凸である線に沿って形成された踵側防滑壁とを含んでいることを特徴とするゴルフ靴。
【請求項２】
上記両側防滑突起の数が全突起数に占める比率が５０％以上である請求項１に記載のゴルフ靴。
【請求項３】
上記爪先側防滑壁と靴底本体とがなす鉛直断面における内角が６０°以上であり、踵側防滑壁と靴底本体とがなす鉛直断面における内角が６０°以上である請求項１又は請求項２に記載のゴルフ靴。
【請求項４】
上記靴底本体の底面積に占める突起の合計接地面積の比率が２０％以上８０％以下である請求項１から３のいずれかに記載のゴルフ靴。
【請求項５】
上記靴底本体が１０個以上１０００個以下の突起を有する請求項１から４のいずれかに記載のゴルフ靴。
【発明の詳細な説明】
【０００１】
【発明の属する技術分野】
本発明はゴルフ靴に関するものであり、特にゴルフ靴の底面のパターンの改良に関するものである。
【０００２】
【従来の技術】
ゴルファーがゴルフボールを打撃する際は、左右の足先を結ぶ線が打撃方向とほぼ平行となるようにアドレスする。右利きのゴルファーのアドレスでは、左足が打撃方向前側に位置し、右足が打撃方向後側に位置する。アドレスでは、ゴルフクラブのヘッドはゴルフボールの近くに位置する。この状態からゴルファーはテイクバックを開始し、ヘッドを後へ、次いで上方へと振り上げる。最もヘッドが振り上げられた位置がトップ位置である。トップ位置からダウンスイングが開始されてヘッドが振り下ろされ、ヘッドがゴルフボールと衝突する（インパクト）。インパクト後、ゴルファーはゴルフクラブを前方へ、次いで上方へと振り抜き（フォロースルー）、フィニッシュを迎える。
【０００３】
トップ位置からフィニッシュにかけて、ゴルファーは左足を軸としてボディターンを行う。同時にゴルファーは、右足で地面を蹴ってその力をゴルフボールに伝える。つまり、右利きのゴルファーは、左足を軸足として使い、右足を蹴足として使う。左利きゴルファーの場合は、逆に右足を軸足として使い、左足を蹴足として使う。
【０００４】
トップ位置からフィニッシュにかけて、ゴルファーの両足には大きな力がかかる。この力によって、ゴルフ靴が地面とスリップを起こすことがある。スリップが起こると、スイングフォームが乱れてミスショットが発生してしまうことがある。
【０００５】
防滑（スリップの防止）のため、ゴルフ靴の底面に金属又はセラミクスからなる針状のスパイクピンが設けられることがある。このゴルフ靴ではスリップはかなり防止されるものの、スパイクピンがグリーン上の芝生、クラブハウスの床、ゴルフコース中に設けられた歩行用通路の路面等を傷めるという問題が指摘されている。また、スパイクピンを備えたゴルフ靴では下からの突き上げ感があり、ゴルファーにとって履き心地のよいものではない。スパイクピンを備えたゴルフ靴は、近年ではあまり好まれて用いられてはいない。
【０００６】
スパイクピンに代えてゴムや合成樹脂からなる突起が底面に設けられたゴルフ靴が提案され、普及しつつある。このゴルフ靴では、芝生等が傷つけられることが少なく、履き心地にも優れる。しかしながらこのゴルフ靴では、突起の防滑性能がスパイクピンに比べて劣るという問題がある。特許第２９４６２１５号公報には、前述のような左足と右足との役割の相違が考慮され、左足用の靴体と右足用の靴体とで突起のパターンが異なるゴルフ靴が提案されているが、防滑性能向上の観点から未だ改良の余地がある。
【０００７】
【発明が解決しようとする課題】
本発明者がトップ位置からインパクトにかけて足にかかる力のベクトル（すなわち大きさと方向）を調査したところ、以下のことが判明した。
【０００８】
まず軸足では、力は概ね踵から爪先に向かう方向にかかっている。詳細には、トップ位置では力は足の打撃方向後寄り（ゴルファーの軸足にとってのインサイド寄り）に主としてかかっており、その向きもやや後側向きな爪先方向である。スイングの進行に応じて、主として力のかかる位置は足の中央へ、そして前寄り（ゴルファーの軸足にとってのアウトサイド寄り）へと移行する。また、スイングの進行に応じて、力の方向も完全な爪先方向へ、そしてやや前側向きな爪先方向へと移行する。これらの変化は、軸足が軸とされたボディーターンと体重の移動とに起因すると考えられる。
【０００９】
次に蹴足では、力は概ね爪先から踵に向かう方向にかかっている。詳細には、トップ位置では力は足の打撃方向前寄り（ゴルファーの蹴足にとってのインサイド寄り）に主としてかかっており、その向きもやや前向きの踵方向である。スイングの進行に応じて、主として力のかかる位置は足の中央へ、そして後寄り（ゴルファーの蹴足にとってのアウトサイド寄り）へと移行する。また、スイングの進行に応じて、力の方向も完全な踵方向へ、そしてやや後向きな踵方向へと移行する。これらの変化は、ダウンスイング開始時の蹴足から軸足への体重移動と、その後の蹴足の回転とに起因すると考えられる。
【００１０】
これらの知見に基づき、本発明者は、特願２０００−１２３７５６において、突起のパターンが左右の靴体で異なるゴルフ靴を提案した。このゴルフ靴では、軸足用の靴体の底面に爪先方向に凸である線に沿った突起が形成されており、蹴足用の靴体の底面に踵方向に凸である線に沿った突起が形成されている。このゴルフ靴は、旋回運動（ボディターン）と並進運動とが混合された非常に複雑な運動様式であるゴルフスイングにおいて、優れた防滑性能を発揮する。
【００１１】
しかしながら、左右でパターンの異なる突起によって防滑が達成される場合は、右利きゴルファー用のゴルフ靴と左利きゴルファー用のゴルフ靴との両方が用意される必要があり、ゴルフ靴メーカーにとってはコスト面での負担が大きい。また、もし右利きゴルファー用のゴルフ靴を左利きゴルファーが着用したり、逆に左利きゴルファー用のゴルフ靴を右利きゴルファーが着用した場合に、スイング中の防滑が不十分となってしまうという問題もある。さらに、このゴルフ靴では、登り坂で軸足用の靴体がスリップしやすく、下り坂で蹴足用の靴体がスリップしやすいという問題もある。
【００１２】
本発明はこれらの知見に基づいてなされたものであり、右利きゴルファーが着用した場合でも左利きゴルファーが着用した場合でも、ゴルフスイング中のスリップが抑制されるゴルフ靴の提供をその目的とするものである。
【００１３】
【課題を解決するための手段】
上記の目的を達成するためになされた発明は、
靴底本体を備えており、この靴底本体の底面にゴム又は合成樹脂からなる突起が多数形成されたゴルフ靴であって、
この突起として、爪先方向に凸である線に沿って形成された爪先側防滑壁と踵方向に凸である線に沿って形成された踵側防滑壁とを備えている両側防滑突起が主として形成されていることを特徴とするゴルフ靴、
である。
【００１４】
このゴルフ靴は両側防滑突起を備えているので、右利きゴルファーが着用した場合でも左利きゴルファーが着用した場合でも、ゴルフスイング中の軸足のスリップ（略爪先方向へのスリップ）及び蹴足のスリップ（略踵方向へのスリップ）が抑制される。
【００１５】
好ましくは、両側防滑突起の数が全突起数に占める比率は、５０％以上である。これにより、ゴルフスイング中のスリップがより抑制される。
【００１６】
好ましくは、爪先側防滑壁と靴底本体とがなす鉛直断面における内角は６０°（ｄｅｇｒｅｅ）以上である。また、踵側防滑壁と靴底本体とがなす鉛直断面における内角も、６０°以上である。これにより、ゴルフスイング中のスリップがより抑制される。
【００１７】
【発明の実施の形態】
以下、適宜図面が参照されつつ、本発明の実施形態が説明される。
【００１８】
図１は、本発明の一実施形態にかかるゴルフ靴の左足用靴体Ｌが示された底面図である。図示されていないが、このゴルフ靴は、通常のゴルフ靴と同様のアッパー部等を備えている。図１において右方向が打撃方向前側であり、左方向が打撃方向後側であり、上方向が爪先方向であり、下方向が踵方向である。
【００１９】
左足用靴体Ｌは、靴底本体１を備えている。この靴底本体１の底面には、多数の突起３、５が形成されている。これらの突起３、５は、両側防滑突起３と非両側防滑突起５とに区別される。図１において網点で塗りつぶされている部分が、突起３、５である。底面のうち突起３、５以外の部分は、平坦部７である。靴底本体１と突起３、５とは、一体的に成形されている。靴底本体１及び突起３、５は、ゴム又は合成樹脂を主成分とする組成物から成形されている。
【００２０】
両側防滑突起３は、爪先方向に凸である線に沿って形成されていると共に、踵先方向に凸である線に沿って形成されている。図２（ａ）は、図１の左足用靴体Ｌにおける爪先方向に凸である線Ｃｔが示された模式図である。また、図２（ｂ）は、図１の左足用靴体Ｌにおける踵方向に凸である線Ｃｈが示された模式図である。爪先方向に凸である線Ｃｔとは、一端から爪先方向に向かい、最も爪先寄りの部分を経て踵方向に向かい、他端で終了する線のことである。また、踵方向に凸である線Ｃｈとは、一端から踵方向に向かい、最も踵寄りの部分を経て爪先方向に向かい、他端で終了する線のことである。爪先方向に凸である線Ｃｔ及び踵方向に凸である線Ｃｈは円弧状でもよく、放物線状でもよい。また、例えばサインカーブのような途中に変曲点を有する曲線であってもよい。さらに、複数の線分の組み合わせや、線分と曲線の組み合わせであってもよい。
【００２１】
爪先方向に凸である線Ｃｔ及び踵方向に凸である線Ｃｈは、下記の方法によって設計されるのが好ましい。まず、ゴルファーにゴルフスイングをさせ、スイング中の水平方向及び鉛直方向の床反力を三次元床反力計で測定し、鉛直荷重に対する水平荷重の比率を算出する。次に、この比率が最大値となる時点であるピーク時点を決定する。つぎに、この比率が最大値に向かって上昇している段階にあってかつこの比率が最大値の６０％となる時点である開始時点と、この比率が最大値から下降している段階にあってかつこの比率が最大値の６０％となる時点である終了時点とを決定する。次に、この開始時点と終了時点との間の、所定間隔の三次元床反力データの水平成分ベクトルをその原点を一致させて並べる。次に、これらのベクトルの前端を結ぶ線である基準線を想定する。軸足における床反力の測定からは軸足用の基準線が得られ、蹴足における床反力の測定からは蹴足用の基準線が得られる。軸足用の基準線を所定の比率で変倍たものが、爪先方向に凸である線Ｃｔとされる。また、蹴足用の基準線を所定の比率で変倍たものが、踵方向に凸である線Ｃｈとされる。このような床反力測定方法は、例えば特願２０００−２１９４３１に開示されている。
【００２２】
図３（ａ）は図１の左足用靴体Ｌの両側防滑突起３ａの一例が示された拡大斜視図であり、図３（ｂ）はその底面図（図３（ａ）を上から見た図）である。図３（ｂ）における上方向が爪先方向であり、下方向が踵方向である。この両側防滑突起３ａは、接地面となる底面９ａと、爪先側防滑壁１１ａ及び踵側防滑壁１３ａを含む４個の側壁とを備えている。爪先側防滑壁１１ａは、爪先方向に凸である線Ｃｔ（図２（ａ）に示されたもの）に沿って形成されている。踵側防滑壁１３ａは、踵方向に凸である線Ｃｈ（図２（ｂ）に示されたもの）に沿って形成されている。
【００２３】
図４（ａ）は図１の左足用靴体Ｌの他の両側防滑突起３ｂが示された拡大斜視図であり、図４（ｂ）はその底面図（図４（ａ）を上から見た図）である。図４（ｂ）における上方向が爪先方向であり、下方向が踵方向である。この両側防滑突起３ｂは、接地面となる底面９ｂと、爪先側防滑壁１１ｂ及び踵側防滑壁１３ｂを含む３個の側壁とを備えている。爪先側防滑壁１１ｂは、爪先方向に凸である線Ｃｔ（図２（ａ）に示されたもの）に沿って形成されている。踵側防滑壁１３ｂは、踵方向に凸である線Ｃｈ（図２（ｂ）に示されたもの）に沿って形成されている。
【００２４】
図５は、図１から図４のゴルフ靴が、これが右利きゴルファーに着用された場合に足にかかる力のベクトルとともに示された底面図である。図５（ａ）は図１の左足用靴体Ｌが示された底面図であり、図５（ｂ）はこのゴルフ靴の右足用靴体Ｒが示された底面図である。右足用靴体Ｒは、左足用靴体Ｌの形状が左右反転された形状である。左足用靴体Ｌは左足（軸足）に着用され、右足用靴体Ｒは右足（蹴足）に着用される。
【００２５】
図５（ａ）において符号Ｔｊで示される矢印は、トップ位置で左足用靴体Ｌにかかる力のベクトルである。また、符号Ｉｊで示される矢印は、インパクト直前で左足用靴体Ｌにかかる力のベクトルである。トップ位置からインパクト直前にかけてのスイングにおいて左足用靴体Ｌにかかる力の位置と方向とは、矢印Ｔｊの状態から矢印Ｉｊの状態へと、図においてほぼ時計回り方向に刻々と変化する。
【００２６】
前述のように両側防滑突起３ａ、３ｂの爪先側防滑壁１１ａ、１１ｂは爪先方向に凸である線Ｃｔに沿って形成されているので、矢印Ｔｊの状態から矢印Ｉｊの状態へと力のベクトルが移行するいずれの時点においても、爪先側防滑壁１１ａ、１１ｂのいずれかの部分がベクトル方向とほぼ直交する。これにより、左足用靴体Ｌの略爪先方向へのスリップが有効に抑制される。
【００２７】
図５（ｂ）において符号Ｔｋで示される矢印は、トップ位置で右足用靴体Ｒにかかる力のベクトルである。また、符号Ｉｋで示される矢印は、インパクト直前で右足用靴体Ｒにかかる力のベクトルである。トップ位置からインパクト直前にかけてのスイングにおいて右足用靴体Ｒにかかる力の位置と方向とは、一般的には矢印Ｔｋの状態から矢印Ｉｋの状態へと、図においてほぼ時計回り方向に刻々と変化する。
【００２８】
前述のように両側防滑突起３ａ、３ｂの踵側防滑壁１３ａ、１３ｂは踵方向に凸である線Ｃｈに沿って形成されているので、矢印Ｔｋの状態から矢印Ｉｋの状態へと力のベクトルが移行するいずれの時点においても、踵側防滑壁１３ａ、１３ｂのいずれかの部分がベクトル方向とほぼ直交する。これにより、右足用靴体Ｒの略踵方向へのスリップが有効に抑制される。
【００２９】
図６は、図５のゴルフ靴が、これが左利きゴルファーに着用された場合に足にかかる力のベクトルとともに示された底面図である。左足用靴体Ｌは左足（蹴足）に着用され、右足用靴体Ｒは右足（軸足）に着用される。
【００３０】
図６（ａ）において符号Ｔｋで示される矢印は、トップ位置で左足用靴体Ｌにかかる力のベクトルである。また、符号Ｉｋで示される矢印は、インパクト直前で左足用靴体Ｌにかかる力のベクトルである。トップ位置からインパクト直前にかけてのスイングにおいて左足用靴体Ｌにかかる力の位置と方向とは、一般的には矢印Ｔｋの状態から矢印Ｉｋの状態へと、図においてほぼ時計回り方向に刻々と変化する。
【００３１】
前述のように両側防滑突起３ａ、３ｂの踵側防滑壁１３ａ、１３ｂは踵方向に凸である線Ｃｈに沿って形成されているので、矢印Ｔｋの状態から矢印Ｉｋの状態へと力のベクトルが移行するいずれの時点においても、踵側防滑壁１３ａ、１３ｂのいずれかの部分がベクトル方向とほぼ直交する。これにより、左足用靴体Ｌの略踵方向へのスリップが有効に抑制される。
【００３２】
図６（ｂ）において符号Ｔｊで示される矢印は、トップ位置で右足用靴体Ｒにかかる力のベクトルである。また、符号Ｉｊで示される矢印は、インパクト直前で右足用靴体Ｒにかかる力のベクトルである。トップ位置からインパクト直前にかけてのスイングにおいて右足用靴体Ｒにかかる力の位置と方向とは、矢印Ｔｊの状態から矢印Ｉｊの状態へと、図においてほぼ時計回り方向に刻々と変化する。
【００３３】
前述のように両側防滑突起３ａ、３ｂの爪先側防滑壁１１ａ、１１ｂは爪先方向に凸である線Ｃｔに沿って形成されているので、矢印Ｔｊの状態から矢印Ｉｊの状態へと力のベクトルが移行するいずれの時点においても、爪先側防滑壁１１ａ、１１ｂのいずれかの部分がベクトル方向とほぼ直交する。これにより、右足用靴体Ｒの略爪先方向へのスリップが有効に抑制される。
【００３４】
このように、左足用靴体Ｌでは、右利きゴルファーが着用した場合は主として爪先側防滑壁１１ａ、１１ｂが防滑性能を発揮し、左利きゴルファーが着用した場合は踵側防滑壁１３ａ、１３ｂが防滑性能を発揮する。また、右足用靴体Ｒでは、右利きゴルファーが着用した場合は主として踵側防滑壁１３ａ、１３ｂが防滑性能を発揮し、左利きゴルファーが着用した場合は爪先側防滑壁１１ａ、１１ｂが防滑性能を発揮する。すなわち、このゴルフ靴では、右利きゴルファーが着用した場合でも、左利きゴルファーが着用した場合でも、両側防滑突起３ａ、３ｂによってスイング中のスリップが抑制される。このゴルフ靴は、右利きゴルファーにも左利きゴルファーにも適したものである。しかも、このゴルフ靴では爪先側防滑壁１１ａ、１１ｂによって下り坂での左足用靴体Ｌ及び右足用靴体Ｒのスリップが抑制され、踵側防滑壁１３ａ、１３ｂによって登り坂での左足用靴体Ｌ及び右足用靴体Ｒのスリップが抑制される。
【００３５】
図７は、図３（ｂ）のVII−VII線に沿った断面図（鉛直断面図）である。この図では、両側防滑突起３ａと共に、靴底本体１が示されている。この図においてαで示されているのは、爪先側防滑壁１１ａと靴底本体１とのなす内角である。また、角度βで示されているのは、踵側防滑壁１３ａと靴底本体１とのなす内角である。これらの内角α、βは６０°以上が好ましく、８０°以上が特に好ましい。内角α、βが上記範囲未満であると、左足用靴体Ｌ及び右足用靴体Ｒの防滑性能が不十分となってしまうことがある。また、この内角α、βは、１２０°以下が好ましい。内角α、βが１２０°を超えると、靴底本体１の成形時に脱型が困難となってしまうことがある。なお、図４に示された両側防滑突起３ｂにおいても、爪先側防滑壁１１ｂ及び踵側防滑壁１３ｂのそれぞれが靴底本体１となす鉛直断面における内角は、６０°以上１２０°以下が好ましく、８０°以上１２０°以下が特に好ましい。
【００３６】
左足用靴体Ｌ及び右足用靴体Ｒのそれぞれにおいて、突起３、５の全数に占める両側防滑突起３の数の比率は、５０％以上が好ましく、７０％以上がより好ましく、８５％以上がさらに好ましい。理想的には、この比率は１００％である。これにより、左足用靴体Ｌ及び右足用靴体Ｒのスリップがより抑制される。
【００３７】
両側防滑突起３の高さ（図３（ａ）及び図４（ａ）において両矢印Ｈで示される）は、２ｍｍ以上２５ｍｍ以下が好ましく、５ｍｍ以上１５ｍｍ以下が好ましい。高さＨが上記範囲未満であると、防滑性能が不十分となってしまうことがある。逆に、高さＨが上記範囲を超えると、突起が屈曲してしまうことがある。
【００３８】
このゴルフ靴は両側防滑突起３及び非両側防滑突起５のみが靴底本体１の底面から突出しているが、さらに合成樹脂等からなるピンが補助的に設けられてもよい。特に、親指の付け根に相当する部分（すなわち高い足圧がかかる部分）の近傍にピンが設けられることにより、左足用靴体Ｌ及び右足用靴体Ｒのスリップがより抑制される。
【００３９】
左足用靴体Ｌ及び右足用靴体Ｒのそれぞれにおける、靴底本体１の底面積に占める突起３、５の合計接地面積の比率（接地面積率）は、２０％以上８０％以下が好ましい。接地面積率が上記範囲未満であると、突起３、５が刺さらない硬質路面上での防滑性が不十分となってしまうことがある。この観点から、接地面積率は３０％以上が特に好ましい。逆に、接地面積率が上記範囲を超えると、接地圧が不足してしまうことがある。この観点から、接地面積率は７０％以下が特に好ましい。なお、靴底本体１の底面積とは、底面が平坦である（すなわち突起３、５が形成されていない）と仮定されたときの面積を意味する。また、突起３、５の合計接地面積とは、左足用靴体Ｌ及び右足用靴体Ｒのそれぞれにおいて、形成されている全ての突起３、５の接地面積の合計を意味する。
【００４０】
左足用靴体Ｌ及び右足用靴体Ｒのそれぞれにおける突起３、５の数は、１０個以上１０００個以下が好ましい。突起３、５の数が上記範囲未満であると、突起３、５が全く存在しない広面積な領域が生じ、例えばこの領域が種子骨の直下に位置した場合等において歩行時の防滑性能が不十分となってしまうことがある。この観点から、突起３、５の数は２０個以上が特に好ましい。逆に、突起３、５の数が上記範囲を超えると、個々の突起３、５のサイズが小さくなって突起３、５の剛性が不十分となってしまうことがある。この観点から、突起３、５の数は１００個以下が特に好ましい。
【００４１】
【実施例】
以下、実施例によって本発明の効果が明らかにされるが、この実施例の記載に基づいて本発明が限定的に解釈されるべきでないことはもちろんである。
【００４２】
［実施例］
ブタジエンゴムを主成分とするゴムを金型に仕込んで加熱・架橋させ、靴底本体及び両側防滑突起を備えた靴底を成形した。この靴底にアッパー部、インソール等を取り付けて、実施例のゴルフ靴を得た。このゴルフ靴の突起の形状と配置とは、図１から図７に示される通りである。
【００４３】
［比較例］
成形金型を変更して靴底のパターンを変更した他は実施例と同様にして、比較例のゴルフ靴を得た。このゴルフ靴の突起の形状と配置とは、図８に示される通りである。すなわち左足用靴体Ｌは突起５１と平坦部５３とを備えており、突起５１は爪先方向に凸な線に沿って形成されている。また、右足用靴体Ｒは突起５５と平坦部５７とを備えており、突起５５は踵方向に凸な線に沿って形成されている。
【００４４】
［防滑性能の評価］
右利きのゴルファー及び左利きのゴルファーに、実施例及び比較例のゴルフ靴を着用させ、ゴルフ場のティグラウンドでドライバーにてゴルフボールを打撃させた。また、ゴルファーに表面が芝生である下り坂を歩行させた。そして、防滑性能を「１」から「５」の５段階で官能評価させた。最もスリップしにくいものを「５」とし、最もスリップしやすいものを「１」とした。この結果が、下記の表Ｉに示されている。
【００４５】
【表１】
0004481454.tif 000002
【００４６】
表１において、比較例のゴルフ靴は、右利きゴルファーのスイングでは滑りにくいものの、左利きゴルファーのスイングでは滑りやすいことが解る。これに対し、実施例のゴルフ靴では、右利きゴルファーの場合でも左利きゴルファーの場合でも、スイング中のスリップが起こりにくい。また、比較例のゴルフ靴は下り坂で右足用靴体がスリップしやすいが、実施例のゴルフ靴では左足用靴体も右足用靴体もスリップしにくい。この評価より、本発明の優位性が明らかにされた。
【００４７】
【発明の効果】
以上説明されたように、本発明のゴルフ靴は、右利きゴルファーに着用された場合でも左利きゴルファーに着用された場合でも、旋回運動（ボディターン）と並進運動とが混合された非常に複雑な運動様式であるゴルフスイングにおいて、優れた防滑性能を発揮する。このゴルフ靴をゴルファーが着用することにより、スイング中のスリップが防止される。これにより、スイングフォームの乱れによるミスショットが抑制される。
【図面の簡単な説明】
【図１】図１は、本発明の一実施形態にかかるゴルフ靴の左足用靴体Ｌが示された底面図である。
【図２】図２（ａ）は図１の左足用靴体Ｌにおける爪先方向に凸である線Ｃｔが示された模式図であり、図２（ｂ）はこの左足用靴体Ｌの踵方向に凸である線Ｃｈが示された模式図である。
【図３】図３（ａ）は図１の左足用靴体Ｌの両側防滑突起の一例が示された拡大斜視図であり、図３（ｂ）はその底面図である。
【図４】図４（ａ）は図１の左足用靴体Ｌの他の両側防滑突起が示された拡大斜視図であり、図４（ｂ）はその底面図である。
【図５】図５は、図１から図４のゴルフ靴が、これが右利きゴルファーに着用された場合に足にかかる力のベクトルとともに示された底面図である。図５（ａ）は図１の左足用靴体Ｌが示された底面図であり、図５（ｂ）はこのゴルフ靴の右足用靴体Ｒが示された底面図である。
【図６】図６は、図５のゴルフ靴が、これが左利きゴルファーに着用された場合に足にかかる力のベクトルとともに示された底面図である。
【図７】図７は、図３（ｂ）のVII−VII線に沿った断面図である。
【図８】図８は、本発明の比較例にかかるゴルフ靴が示された底面図である。
【符号の説明】
１・・・靴底本体
３、３ａ、３ｂ・・・両側防滑突起
５・・・非両側防滑突起
７・・・平坦部
９ａ、９ｂ・・・底面
１１ａ、１１ｂ・・・爪先側防滑壁
１３ａ、１３ｂ・・・踵側防滑壁
Ｌ・・・左足用靴体
Ｒ・・・右足用靴体
Ｃｔ・・・爪先方向に凸な線
Ｃｈ・・・踵方向に凸な線
【図１】
0004481454.tif 000003
【図２】
0004481454.tif 000004
【図３】
0004481454.tif 000005
【図４】
0004481454.tif 000006
【図５】
0004481454.tif 000007
【図６】
0004481454.tif 000008
【図７】
0004481454.tif 000009
【図８】
0004481454.tif 000010